(57)【要約】【課題】パネルを略垂直に貫通して配管を接続する一対の貫通具の連結構造を、簡易の構成で、配管の締め込み時等に貫通具が回転することを防止可能とする。【解決手段】貫通具２は、フランジ部８と平面視で円形の回り止め凸部１１を備えており、一対の貫通具２、２を連結する略エの字状に形成された固定具３は、回り止め凸部１１に嵌合する受け部２０を備え、固定具３の受け部２０に、貫通具２の回り止め凸部１１を嵌合させ、フランジ部８に設けられた複数の孔部１７のうちの一つと、固定具３に設けられた孔部２６を重ねて、ビス留めして固定することで、一対の貫通具２、２を一つの固定具３で連結固定する。【選択図】図１
2017145939.tif 000002
【特許請求の範囲】
【請求項１】
パネルを略垂直に貫通して配管を接続する一対の貫通具の連結構造において、貫通具はフランジ部と回り止め凸部を備え、一対の貫通具を連結する略エの字状に形成された固定具は回り止め凸部に嵌合する受け部を備え、受け部に回り止め凸部が嵌合されて固定されており、一対の貫通具が一つの固定具で連結固定された構成であることを特徴とする貫通具の連結構造。
【請求項２】
請求項１に記載の貫通具の連結構造において、フランジ部は孔部を備え、固定具は少なくとも二つの孔部を備え、フランジ部と固定具のそれぞれの孔部が重なってビス留めされていることを特徴とする貫通具の連結構造。                                        
【請求項３】
請求項２に記載の貫通具の連結構造において、フランジ部は複数の孔部を備えていることを特徴とする貫通具の連結構造。
【請求項４】
請求項１ないし３のいずれかに記載の貫通具の連結構造において、回り止め部は円柱状に形成されていることを特徴とする貫通具の連結構造。  
【発明の詳細な説明】
【技術分野】
【０００１】
本発明は、パネルを略垂直に貫通して配管を接続する一対の貫通具の連結構造に関するものである。
【背景技術】
【０００２】
従来、図６（ａ）に示すように、床４０を貫通して配管する場合、フランジ４１を備えた貫通具４２を床４０に形成された孔４５を貫通させ、フランジ４１を床４０に当接させ、複数のビス４３で床４０に固定した後、貫通具４２の一端部に第１の配管４６を接続するとともに、他端部に第２の配管４７をねじ込んで接続することが、一般的に行われている。
【０００３】
同様に、貫通具を床に固定した後、その貫通具の両端にそれぞれ配管を接続する具体的な構成について、蓋体の貫通孔に対応する位置であって裏面側に継手支持部材を設け、配管継手（貫通具）を、継手支持部材に回動自在に保持してから貫通穴に挿通して蓋体に固定し、その後、蓋体を床に固定する構成が知られている（特許文献１参照）。
【０００４】
また、水栓アダプターを貫通して取り付ける給水湯管カバーの一方の面に、水栓アダプターのナットが係合し得る共回り防止用のナット係合部が一体形成されおり、水栓アダプターをその共廻りを確実に防止しつつカバーに強固に取り付けて安定した配管状態が得られ、配管孔への位置決めが容易な給水湯管カバー構造が知られている（特許文献２参照）。
【０００５】
さらに、従来の貫通具の一例として、図６（ｃ）に示すようなエルボタイプの貫通具５０が知られている。このエルボタイプの貫通具５０は、互いに直交する方向に入口５１と出口５２を設け、かつ裏面に座面５５を備えた構成である。貫通具５０の入口５１には、第１の配管４６が接続され、出口５２には第２の配管（図示せず）が接続される。
【０００６】
一対のエルボタイプの貫通具５０、５０を、それぞれその座面５５をステー（長板）５６にビス止めすることによって、第２の配管（図示せず）を貫通具の出口５２側に螺着し締め込んで取り付ける際に、回り止め可能とする。
【先行技術文献】
【特許文献】
【０００７】
【特許文献１】特開２０００−２６６２７１号公報
【特許文献２】特開２００２−３２２６９４号公報
【発明の概要】
【発明が解決しようとする課題】
【０００８】
従来の貫通具を床の孔に貫通して取り付け、出口側に第２の配管を螺着し締め込んで取り付ける際に、貫通具が共回りしてしまい、締め込みにくく、しっかりと取り付けることができない等の問題が生じる。
【０００９】
さらに、入口側に予め第１の配管が取り付けられている場合は、通常、取り付けられた配管に曲げぐせがあり、その曲げぐせを考慮して第１の配管を所定の方向に揃えてから引き込んで、出口側に第２の配管を締め込んで取り付けることが行われるが、締め込みによって貫通具が共回りすると、第１の配管が所定の方向からずれて取り付けられてしまうという問題がある。
【００１０】
特に、水と湯を供給するための一対の第１の配管を一対の貫通具に接続し、同じ方向に向けて引き込んで並設する構成である場合は、第２の配管の出口への締め込みの際に貫通具が共回りして、第１の配管がそれぞればらばらの方向を向けて取り付けられてしまうという問題が生じる。
【００１１】
ところで、図６（ａ）、（ｂ）に示すように、床４０の孔４５に貫通させた貫通具４２のフランジ４１を、床４０に複数のビス４３等で固定した後、貫通具４２に第２の配管４７等を締め込んで接続する上記従来技術は、貫通具４２を床４０に固定しているので、配管接続の際に共回りは生じない。
【００１２】
しかしながら、上記従来技術では、貫通具４２のフランジ４１を床４０に複数のビス４３等で固定する必要があり、構造が複雑となる。また、配管接続作業は、通常は、床下や床周り等、比較的狭いスペースで行わなければならないので、構造が複雑であると、作業がしにくい等の問題も生じる。
【００１３】
そして、図６（ｃ）に示すようなエルボタイプの貫通具５０では、貫通具５０の入口５１に、予め水や湯の第１の配管４６が接続されているので、床下等での第１の配管４６の貫通具５０への接続作業は不要であり、しかもステー５６によって回り止めもされているが、貫通具５０の裏面に座面５５を設け、座面５５をステー５６にビス止めする等の複雑な構成が必要である。
【００１４】
本発明は、貫通具をパネルに固定し配管を接続するための従来技術における上記のような問題を解消することを目的とし、簡易の構成で、配管の締め込み時等に貫通具が共に回転することを防止することができる貫通具の連結構造を実現することを課題とする。
【課題を解決するための手段】
【００１５】
本発明は上記課題を解決するために、パネルを略垂直に貫通して配管を接続する一対の貫通具の連結構造において、貫通具はフランジ部と回り止め凸部を備え、一対の貫通具を連結する略エの字状に形成された固定具は回り止め凸部に嵌合する受け部を備え、受け部に回り止め凸部が嵌合されて固定されており、一対の貫通具が一つの固定具で連結固定された構成であることを特徴とする貫通具の連結構造を提供する。
【００１６】
フランジ部は孔部を備え、固定具は少なくとも二つの孔部を備え、フランジ部と固定具のそれぞれの孔部が重なってビス留めされていることが好ましい。
【００１７】
フランジ部は複数の孔部を備えていることが好ましい。
【００１８】
回り止め部は円柱状に形成されていることが好ましい。
【発明の効果】
【００１９】
本発明は、従来技術における上記のような問題を解消することを目的とし、一対の貫通具を一つの固定具で連結固定するという簡易の貫通具の連結構造によって、貫通具を床に固定し配管を接続する際に、配管の締め込み時等に貫通具が回転することを防止することができる。
【図面の簡単な説明】
【００２０】
【図１】本発明に係る貫通具の連結構造の実施例を示す図であり、（ａ）は斜め下方から見た斜視図であり、（ｂ）は正面図である。
【図２】上記実施例における貫通具を示す図であり、（ａ）は斜め下方から見た斜視図であり、（ｂ）は正面図である。
【図３】（ａ）は上記実施例の貫通具の連結構造を一面側から見た平面図であり、（ｂ）は図２（ｂ）のＢ−Ｂ断面図であり、（ｃ）は固定具の平面図である。
【図４】上記実施例の貫通具の連結構造をパネルに組み付ける工程を説明する図であり、（ａ）は連結構造をパネルに貫通し当接した状態を示し、（ｂ）はパッキンを介してナットを締めこむ前の状態を示す。
【図５】（ａ）上記実施例のは貫通具の連結構造をパネルに組み付けた状態を示す図であり、（ｂ）は曲げぐせのついた配管を予め取り付けた状態の貫通具を示す図である。
【図６】（ａ）、（ｂ）は従来の貫通具の一例の構成および配管接続の手順を説明する図であり、（ｃ）は従来の貫通具の別の例であるエルボタイプの貫通具を説明する図である。
【発明を実施するための形態】
【００２１】
本発明に係る貫通具の連結構造を実施するための形態を実施例に基づき図面を参照して、以下説明する。
【実施例】
【００２２】
本発明の貫通具の連結構造の実施例を図１〜図５において説明する。本発明の貫通具の連結構造１は、図１（ａ）、（ｂ）、図３（ａ）に示すように、一対の貫通具２、２が固定具３で互いに連結された構成である。
【００２３】
貫通具の連結構造１は、一対の貫通具２、２を連結して、浴室の床、壁、浴槽パン等のパネル６に貫通して固定し、配管を接続するために使用される。貫通具２は、図２（ａ）、（ｂ）に示すように、全体的には略筒状であり、その軸心を中心に水や湯を通す給水孔７が形成されている。
【００２４】
貫通具２は、フランジ部８を備え、フランジ部８の一方の側（図２（ａ）、（ｂ）中の下側）には、順次、回り止め凸部１１と第１の配管接続部１２を備え、フランジ部８の他方の側には、順次、ねじ部１５と第２の配管接続部１６を備えている。
【００２５】
フランジ部８は、図３（ｂ）に示すように、平面視で円形であり、その厚み方向にビス１８を留めるための孔部１７を備えている。本実施例では、複数のビス留め用の孔部として、具体的には、４つのビス留め用の孔部１７がフランジ部８の周方向の等間隔の位置に形成されている。
【００２６】
回り止め凸部１１は、フランジ部８の一方の側の面に隣接して形成されており、後記するが、固定具３の凹状の受け部２０が嵌合可能な形状であり、本実施例では円柱状に形成されており、要するにその外周形状は、平面視で円形である。
【００２７】
回り止め凸部１１の外周形状は、固定具３の受け部２０が嵌合可能な形状であれば、平面視で正方形、正六角形等のような正多角形、或いはその他の形状であってもよい。しかし、円形の場合は、後記する固定具３の受け部２０の構成も含めて、製作は容易である。
【００２８】
第１の配管接続部１２は、その外面に、図２（ａ）、（ｂ）に示すように、配管抜け止め用の複数の環状傾斜面２１が形成されている。樹脂、ゴム等で形成された第１の配管２４（図４参照。例えば上流側の配管）は、その先端を第１の配管接続部１２の環状傾斜面２１に外側から被着し、換言すると、第１の配管２４が環状傾斜面２１に挿入され、第１の配管接続部１２に接続可能である。
【００２９】
ねじ部１５は、フランジ部８の他方の側の面に隣接し、雄ねじとして形成されている。貫通具２をパネル６に固定する際に、図４（ｂ）、図５（ａ）に示すように、ねじ部１５にナット２２を螺着し、フランジ部８とナット２２でパネル６を両側から締め付けるようにする。
【００３０】
第２の配管接続部１６は、その内面（給水孔７の出口側の内面でもある）に、雌ねじが形成されている。第２の配管２５（図５（ａ）参照。例えば下流側の配管）は、その基端に設けられた雄ねじを第２の配管接続部１６の雌ねじに螺着することで、第２の配管接続部１６に接続可能である（図５（ａ）参照）。
【００３１】
固定具３は、貫通具２、２を連結する板状の部材であり、平面視でその全体形状は、図３（ｃ）に示すように、略エの字状に形成されている。固定具３の長手方向の両端には、それぞれ凹状の受け部２０を備えている。凹状の受け部２０は、一対の貫通具２、２の回り止め凸部１１に嵌合する。
【００３２】
また固定具３において、その一対の凹状の受け部２０、２０に対して、それぞれ長手方向で内側（長手方向の中心側）には、ビス１８を通す孔部２６が貫通して形成されている。
【００３３】
貫通具の連結構造１は、一対の貫通具２、２が、固定具３で連結されて形成される。即ち、固定具３の一対の受け部２０に、それぞれ対応する貫通具２を嵌合した状態で、固定具３の孔部２６にフランジ部８の複数のビス留め用の孔部１７のうちの１つの孔部１７を合わせ（重ね）、ビス１８を固定具３の孔部２６から孔部１７に挿入してねじ込む。
【００３４】
これによって、図１（ａ）、（ｂ）、図３（ａ）に示すように、一対の貫通具２、２が固定具３で連結されてなる貫通具の連結構造１が形成される。ビス１８をねじ込んだ場合、その先端がフランジ部８の他の側の面から突出しないように、ビス１８の長さを、固定具３の厚さとフランジ部８の厚さの合計寸法より小さくすることが好ましい。
【００３５】
（作用）
一対の貫通具２、２を、上記構成からなる貫通具の連結構造１のとおり連結して、パネル６に固定する工程および作用について説明する。ここでは、一対の貫通具２、２には、それぞれ、第１の配管接続部１２に、図５（ｂ）に示すような曲げぐせのついた樹脂製の第１の配管２４が、予め取り付けられているものとする。
【００３６】
まず、一対の貫通具２、２を固定具３で連結する。そのために、一対の貫通具２、２を、固定具３の両側の受け部２０にそれぞれ嵌合する。そして、貫通具２のフランジ部８の孔部１７を固定具３の孔部２６に合わせ、ビス１８を固定具３の孔部２６からフランジ部８の孔部１７にねじ込み、一対の貫通具２、２を固定具３で固定する。これによって、図１（ａ）、（ｂ）、図３（ａ）に示すような貫通具の連結構造１を組み立てる。
【００３７】
上記のとおり貫通具２のフランジ部８の孔部１７を、固定具３の孔部２６に合わせる際に、一対の貫通具２、２を、予め取り付けた樹脂製の第１の配管２４、２４を、所望の所定の方向（例えば、一対の樹脂製の第１の配管２４、２４が互いに略平行になる方向等）に向かうように揃えてから、固定具３の孔部２６に、４つのフランジ部８の孔部１７のうち直近の孔部を合わせて対応させる。
【００３８】
これによって、一対の貫通具２、２の第１の配管２４、２４は、およそ所望の所定の方向に向かう（例えば、一対の樹脂製の第１の配管２４、２４が互いに略平行で所望の方向に向かう等）ように連結される（図４（ａ）参照）。
【００３９】
このようにして連結された一対の貫通具２、２は、パネル６に形成された一対の孔２７、２７に、図４（ａ）に示すように、パネル６の一面側から差し込む。例えば、パネル６を床とし、一対の貫通具２、２を床に固定する場合は、床下側から第１の配管２４を引き込むようにして、下方から一対の貫通具２、２を床に形成された一対の孔に差し込み、フランジ部８を床の下面に当接させる。
【００４０】
そして、ねじ部１５の周囲であってパネル６上に、パッキン３０を配置してから、図４（ｂ）、図５（ａ）に示すように、ねじ部１５にナット２２を螺着して、ナット２２とフランジ部８の間に、パネル６をパッキン３０を介して挟んで締め付ける。これによって、一対の貫通具２、２を、固定具３で連結した状態でパネル６に固定する。
【００４１】
このようにしてパネル６に固定された一対の貫通具２、２の第２の配管接続部１６、１６の雌ねじに、それぞれ第２の配管２５の基端に形成された雄ねじを螺着することで、一対の貫通具２、２の第２の配管接続部１６、１６に、それぞれ、図５（ａ）に示すように、第２の配管２５を接続する。
【００４２】
その際、第２の配管２５の締め込みの回転力が、貫通具２に加わって共回りする可能性が生じるが、一対の貫通具２、２は、固定具３で連結されているので、貫通具２の共回りは防止できる。                                                   
【００４３】
ところで、連結すべき一対の貫通具２、２に、予め第１の配管２４、２４が取り付けられており、それぞれの第１の配管２４に曲げぐせがある場合には、一対の貫通具２、２をパネル６に取り付ける際に、それぞれの第１の配管２４の向きを所定の方向に揃えることは面倒である。
【００４４】
しかしながら、本発明の貫通具の連結構造１によれば、一対の貫通具２、２に予め取り付けられた第１の配管２４、２４の向きを、それぞれ所定の方向に揃えておいてから、固定具３の孔部６に、フランジ部８の複数の孔部（４つの孔部）１７のうち直近の孔部１７を選択して合わせビス留めして連結することができる。
【００４５】
そのために、一対の貫通具２、２は、その第１の配管２４、２４が、それぞれ上記のとおり揃えた所定の方向に概ね向いて連結される。従って、第１の配管２５に曲げぐせがあっても、一対の貫通具２、２の連結作業ないしパネル６への取り付け作業が容易となる。
【００４６】
そして、貫通具の連結構造１を組み立てる際に、一対の貫通具２、２をそれぞれ１本のビス１８で固定すればよいので、図６（ａ）、（ｂ）に示す従来技術のように、複数のビス４３で止める必要はなく、ビス留め作業が容易であり、しかも使用するビス１８の本数が削減できる。
【００４７】
貫通具の連結構造１において、固定具３の厚さとフランジ部８の厚さの合計寸法より小さい長さのビス１８を使用すれば、ビス１８の先端が、フランジ部８における固定具３の取り付け側と反端側の面から突出しない（図１（ｂ）参照）。
【００４８】
そのため、フランジ部８をパネル６の面に密接させることができ、フランジ部８とパネル６の間に隙間が生じることがなく、フランジ部８とパネル６の当接部の水密性を損なうことがない。
【００４９】
また、固定具３は、その受け部２０を貫通孔ではなく両端部においてそれぞれ側方に開口した凹状の構成とし、全体形状を、図３（ｃ）に示すように、平面視で略エの字状に形成したので、貫通具の連結構造１の組み立て作業に際して、貫通具２を受け部２０に挿通する等の作業をする必要がなく、側方から単に嵌合するだけでよいので、貫通具の連結構造１の組み立て作業は、効率良く行うことができる。
【００５０】
以上、本発明に係る貫通具の連結構造を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５１】
本発明に係る貫通具の連結構造は上記のような構成であるから、浴室、ユニットバス、洗面室、キッチン、トイレ等における配管接続に適用可能であり、貫通具の連結構造を設置するパネルは、浴壁等の壁、天井壁、浴槽パンの一部等、板状の部分であれば適用可能である。
【符号の説明】
【００５２】
１  貫通具の連結構造               
２  貫通具                         
３  固定具                         
６  パネル                         
７  給水孔                         
８  フランジ部                     
１１  回り止め凸部                     
１２  第１の配管接続部                 
１５  ねじ部                           
１６  第２の配管接続部                 
１７  フランジ部のビス留め用の孔部     
１８  ビス                             
２０  固定具の受け部           
２１  環状傾斜面                       
２２  ナット
２４  第１の配管                           
２５  第２の配管                       
２６  固定具の孔部                     
２７  パネルの孔                       
３０  パッキン 
４０  床
４１  フランジ
４２  貫通具
４３  ビス
４５  床の孔
４６  第１の配管
４７  第２の配管
５０  エルボタイプの貫通具
５１  入口
５２  出口
５５  座面
５６  ステー
【図１】
2017145939.tif 000003
【図２】
2017145939.tif 000004
【図３】
2017145939.tif 000005
【図４】
2017145939.tif 000006
【図５】
2017145939.tif 000007
【図６】
2017145939.tif 000008